(57)【要約】      （修正有）【課題】パチンコ遊技機の遊技盤において、障害釘を安定支持できる支持構造及び遊技機の製造から再資源化に至るまでのトータルコスト削減を両立すること。【解決手段】基板３１は、遊技盤３０の有する各構成部材を固定するための基板であって、金属フォームを平板状に形成したものを用いてなる。レールセット３２は、この基板３１の前面に固定されて、この基板３１上に、パチンコ球の発射通路３１ａと遊技領域３１ｂとを形成する。遊技領域３１ｂには複数の障害釘３９が打ち込まれている。【選択図】図２
2010240071.tif 000002
【特許請求の範囲】
【請求項１】
金属フォーム製の基板と、
該基板の表面側で、遊技球が当接可能に植設された障害釘と
を備えることを特徴とするパチンコ遊技機の遊技盤。
【請求項２】
絶縁性のシート部材
を備え、
前記基板の表面側で、遊技球が当接可能な領域を該シート部材で隠蔽してあることを特徴とする請求項１記載のパチンコ遊技機の遊技盤。
【発明の詳細な説明】
【技術分野】
【０００１】
本発明はパチンコ遊技機の遊技盤に関し、特に金属製の基板を用いたパチンコ遊技機の遊技盤に関する。
【背景技術】
【０００２】
パチンコ遊技機の遊技盤には、その基板にベニヤを用いたもの（例えば、特許文献１参照）及び樹脂を用いたもの（例えば、特許文献２参照）が存在する。
【０００３】
ベニヤ製の基板は木材を原料としており、自然環境保護を重視する観点からその原料の継続的な確保が今後困難になっていくものと予測されている。
これに対して樹脂製の基板は、廃材の工業的な再利用の技術が確立されている点でベニヤ製のものよりも原料の確保に関しては期待できる。しかしその一方で、基板の表面に植設される障害釘を支持する強度特性においては、ベニヤ製のものより劣っている。
【０００４】
始動入賞口又は通過口の上方において、それらの開口の内径と同等の間隔で左右に並べ設けられる２本の障害釘がある。これらの障害釘は、日毎に変わる遊技店の営業スタイルに応じてその都度、その傾き具合を繰返し微調整して使用されるが、樹脂製の基板はこのような使用形態に好適とは言えない。
また樹脂製の基板には、取扱い時に表面が静電気に帯電し易いという特徴があって、ベニヤ製基板の製造工程を樹脂製基板の製造工程に切り換える際には、そのような帯電が引き起こす塵芥の吸着を防止する設備や工程を別途設けるための追加投資が必要になる。
【０００５】
また一方では、金属廃材が工業的に再利用できる点に着目して、金属製の基板が提案されている（例えば、特許文献３参照）。
【０００６】
特許文献３による遊技盤は、障害釘が配設される遊技面側面板、この遊技面側面板に対向して配設される裏面側面板及び両面板間を所定間隔に保持すべく両面板間に介装して固定される中空状構造体を備え、これら全てを金属製としている。
この遊技盤における障害釘の支持構造は、遊技面側面板から裏面側面板まで貫き通す貫通孔に障害釘を通し、障害釘の先端部を裏面側面板へ直接溶着するか、または遊技面側面板の裏側に溶着されるスリーブユニット（金属製）に障害釘を打ち込むことで形成されている。
【０００７】
このように基板の素材を金属で統一すると、障害釘は元々金属製であるから、使用済みの基板をその表面に多数の障害釘が配設された状態のままで、再資源化工程に投入することができる。すなわち再資源化の前工程として基板から障害釘を除去する工程を省くことができ、再資源化のトータルコスト及びエネルギ消費量の節約が可能になる。
【先行技術文献】
【特許文献】
【０００８】
【特許文献１】特開２００３−１２６３７５号公報
【特許文献２】特開２００７−２６０４６７号公報
【特許文献３】特開２０００−２８８１７０号公報
【発明の概要】
【発明が解決しようとする課題】
【０００９】
上述した金属製基板において、障害釘の位置が中空状構造体と重複すると障害釘の支持強度及び基板自体の構造強度の両方に悪影響が生じる。したがって障害釘の配置を設計する際には、中空状構造体を避けなければならないという制約が課せられる。
【００１０】
また上述した金属製基板において障害釘の直接溶着又は障害釘を支持するスリーブユニットの溶着は、何れも金属板に設けた直径２mm程度の貫通孔の周縁部で行われる。したがって、基板に支持された障害釘の反発係数は溶着の加工精度の微差によってバラつきが生じることが懸念される。
また溶着部周辺では一般に、組成の変化によって錆を発生しやすくなるという欠点があり、この錆が反発係数に与える影響も無視できない。
【００１１】
遊技店における傾き具合の微調整は、目視では見分けが付かないほどの微差の範囲で行われるため、複数の障害釘の間で反発係数が異なると、意図に沿った調整が困難になるという問題が生じる。
【００１２】
さらにまた、基板に植設される障害釘の1本1本を溶着する工程では、これまでベニヤ製又は樹脂製の基板に用いてきた釘打ち装置による釘打ち工程と比べて生産効率が大きく低下するため、トータルコストが上昇するという問題がある。
【００１３】
ところで、金属フォームという工業材料が研究機関において研究されている。
これは発泡スチロールなどに見られるセル構造を金属に応用したものであって、アルミニウムなどの金属粉末と発泡剤との混合物を、前記金属粉末の液相温度まで加熱することで内部に多数の微小な気孔を閉じ込め、密度の低い金属素材として生成したものである。
この金属フォームは断熱、防音、衝撃吸収特性に優れており、従来の構造部材と置き換えることで剛性を担保しつつ大幅な軽量化が図れる工業材料として期待されている。
【００１４】
本発明は上記の事情に鑑みてなされたものであり、再資源化が可能な金属製の基板を用いて、障害釘の支持構造における諸問題の解消及び遊技機の製造から再資源化に至るまでのトータルコストの削減が可能なパチンコ遊技機の遊技盤を提供することを目的とする。
【課題を解決するための手段】
【００１５】
上記目的を達成するために、本発明に係る第１のパチンコ遊技機の遊技盤は、金属フォームにより構成された基板と、該基板の表面側で、遊技球が当接可能に植設された障害釘とを備えることを特徴とする。
【００１６】
また本発明に係る第２のパチンコ遊技機の遊技盤は、絶縁性の高いシート部材を備え、前記基板の表面側で、遊技球が当接可能な領域を該シート部材で隠蔽してあることを特徴とする。
【００１７】
また本発明に係る第３のパチンコ遊技機の遊技盤は、前記基板には貫通孔を設けてあって、該貫通孔の内側へ配置した状態で、該貫通孔の内壁に取り付けられる遊技機部品を備えることを特徴とする。
【００１８】
また本発明に係る第４のパチンコ遊技機の遊技盤は、前記基板の一面に接して設けられた電極を備え、該電極を接地電位に保たれた外部の接地電極と電気的に導通してあって、前記障害釘に接触した遊技球の電荷が金属製の基板を電路として該接地電極へと導かれるようになしたことを特徴とする。
【発明の効果】
【００１９】
第１のパチンコ遊技機の遊技盤によると、金属フォーム製の基板を採用することで、再資源化可能という利点を生かしつつ、従来の釘打ち装置による釘打ち工程によって障害釘を植設することが可能になるため、トータルコストの節約に有利である。
【００２０】
また金属フォーム製の基板は、金属粉末と発泡剤との混合物を前記金属粉末の液相温度まで加熱して生産されるため、強度特性は概ね均質になっている。
したがって、第1の遊技機の遊技盤によると障害釘の反発係数のバラつきによって、意図に沿った調整が困難になるという問題を解消することができる。
【００２１】
第２のパチンコ遊技機の遊技盤によると、金属フォーム製の基板は金属製ゆえに、その表面を転動落下する金属製の遊技球を摩擦により磨耗させる。そこで遊技球と基板との間にシート部材を介在させることで、両者の摩擦を軽減させることができ、遊技球の磨耗を軽減することが可能になる。また、このようなシート部材を、例えば樹脂製とすることで、金属同士の衝突音を緩和する効果が期待できる。
【００２２】
ところで薄い木板を積層して貼り合わせてなるベニヤ製の基板は、厚み方向の穿孔への取り付けには十分な強度特性を示すものの、層に沿った方向の穿孔への取り付けには強度特性が極端に低下する。
【００２３】
これに対して金属フォーム製の基板は前述のとおり強度特性が概ね均質であるため、取付面をどのような向きに設計したとしても、強度特性に指向性は生じない。
【００２４】
すなわち金属フォーム製の基板を採用した第３のパチンコ遊技機の遊技盤によると、例えば基板の貫通孔の内壁に穿孔して取付穴を設け、ここにセンターケースなど遊技機部品を取り付けることが可能である。
つまり、遊技機部品の取付面を設計するに当たって自由度が増すから、意匠構築上の優位性が向上する。
【００２５】
また金属フォーム製の基板は、静電気に帯電した遊技球を除電するための構成部品としても機能させることができる。またこのとき該基板と接地電極とを導通させるために該基板側に取り付けられる電極は、該基板のどこに取り付けても構わない。
したがって第４のパチンコ遊技機の遊技盤によると、除電のために設けられる電極と接続されるアース線の配線設計の自由度を増すことができる。
【図面の簡単な説明】
【００２６】
【図１】本発明の実施の形態におけるパチンコ遊技機の斜視図。
【図２】同上の遊技盤の正面図。
【図３】同上の遊技盤のＡ−Ａ断面図。
【図４】同上の遊技盤の分解斜視図。
【発明を実施するための形態】
【実施例】
【００２７】
以下、本発明の実施の形態におけるパチンコ遊技機の遊技盤について図面を参照しながら説明する。
【００２８】
図１は、本発明の実施の形態におけるパチンコ遊技機の斜視図である。
本実施の形態における遊技機１０は、図１（ａ）に示されるように、パチンコ機として構成されており、外枠１１、前枠１２、窓枠１３、および窓枠１３に覆われた遊技盤などを備えている。
【００２９】
また、遊技機１０の背面には、図１（ｂ）に示されるように、液晶ディスプレイなどの表示制御を行なう表示サブ基盤２１、各種遊技音の出力制御を行なう音サブ基盤２２、入賞時における遊技機１０の動作等を含む遊技機１０の主要な動作を制御する主基盤２３、パチンコ球（遊技球）の払い出し動作を制御する払出基盤２４、各基盤等に電源を供給する電源基盤２５等の各種基盤が例えば透明ケースに収納された状態で取り付けられている。
【００３０】
具体的に、外枠１１は、パチンコホールの台島に設置されており、図１に示すように、前後面が開口するように四角筒状に形成されている。前枠１２は、外枠１１の前端面に左側辺部の垂直な軸を中心に回動可能に装着されている。また、この前枠１２の前面下部には、上面が開口する下皿１４と、上面が開口する上皿１５とが固定されている。
【００３１】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。
この発射モータは打球槌の駆動源に相当するものであり、発射ハンドル１９が回動操作されたときには発射モータに駆動電源が与えられ、打球槌が駆動することに基づいて上皿１５内のパチンコ球を上皿１５内から弾き出す。
【００３２】
また、下皿１４の左側周辺には操作ボタン（操作手段）３６が取り付けられている。この操作ボタン３６は、後述する演出表示器で行われるゲーム演出に利用される。つまり、遊技者が操作ボタン３６を押下すると、その結果がゲーム演出に反映される。
【００３３】
窓枠１３は前枠１２の前面に装着されている。この窓枠１３は円形孔状の窓部１７を有し、窓部１７の内周面には透明なガラス窓１７ａが固定されている。
この窓枠１３の左上隅部および右上隅部の裏面には、遊技音を出力するスピーカ１８が固定されている。また、窓枠１３には複数の装飾ＬＥＤが固定されている。
【００３４】
上述の遊技盤は、前枠１２の後面に装着されている。以下、この遊技盤について図２を用いて説明する。
【００３５】
図２は、遊技盤の正面図である。
この遊技盤３０は、上述のように前枠１２の後面に装着されており、窓枠１３のガラス窓１７ａに前方から覆われている。
この遊技盤３０は、基板３１、レールセット３２、始動口３３、大入賞口３４、扉３４ａ、一般入賞口３５、演出表示器３７、および保留ランプ３８を備えている。
【００３６】
基板３１は、遊技盤３０の有する各構成部材を固定するための基板であって、金属フォームを平板状に形成したものを用いてなる。
レールセット３２は、この基板３１の前面に固定されて、この基板３１上に、パチンコ球の発射通路３１ａと遊技領域３１ｂとを形成する。遊技領域３１ｂには複数の障害釘３９が打ち込まれている。
【００３７】
上述の打球槌が弾いたパチンコ球は、発射通路３１ａを通して遊技領域３１ｂ内に放出される。そして、遊技領域３１ｂ内に放出されたパチンコ球は障害釘３９に当りながら遊技領域３１ｂ内を落下する。
【００３８】
始動口３３は、遊技領域３１ｂ内に固定され、上面が開口するポケット状に形成されている。また、この始動口３３内には、センサである始動口スイッチが固定されており、始動口スイッチは、始動口３３内にパチンコ球が入賞したことを検出する。さらに、この始動口３３には、一対の片３３ａが回動自在に取り付けられている。
【００３９】
この一対の片３３ａは、始動口ソレノイドのプランジャに機械的に連結されており、そのプランジャの動作に応じて、互いの先端側が離れたり近づいたりするように回動する。
つまり、この一対の片３３ａは始動口３３を開閉し、開いたときには、パチンコ球は始動口３３に入賞し易くなり、閉じたときには、パチンコ球は始動口３３に入賞し難くなる。
【００４０】
一般入賞口３５は、始動口３３と同様、上面が開口するポケット状に形成されている。そして、この一般入賞口３５内には、センサである一般入賞口スイッチが固定されており、一般入賞口スイッチは、一般入賞口３５内にパチンコ球が入賞したことを検知する。
【００４１】
大入賞口３４は、遊技領域３１ｂ内に前面が開口するように形成されている。そして、扉３４ａは、この大入賞口３４を開閉するように装着されている。
この扉３４ａは、大入賞口ソレノイドのプランジャに機械的に連結されており、そのプランジャの動作に応じて、大入賞口３４を開閉する。また、この大入賞口３４内には、センサである大入賞口スイッチが固定されており、大入賞口スイッチは、パチンコ球が大入賞口３４内に入賞したことを検出する。
【００４２】
保留ランプ３８は、遊技領域３１ｂ内に４つ固定されている。これらの４つの保留ランプ３８は、点灯個数に応じて、始動口３３に入賞したパチンコ球の判定処理の待ち状況を通知する。
【００４３】
演出表示器（表示手段）３７は、比較的大きな表示領域を有するカラーの液晶ディスプレイから構成されている。
このような演出表示器３７は、３つの数字を変動させて表示することにより、遊技結果の表示の演出を行なうとともに、３つの数字を停止して表示することにより、遊技結果を遊技者に報知する。なお、このような演出には、物語風のアニメーション画像などが使用される。また、演出表示器３７に表示される３つの数字を、以下、装飾図柄という。また、演出表示器３７は、上述のゲーム演出に用いられるキャラクタを表示する。
【００４４】
また遊技盤３０の裏面側には図２中に破線で示したように電極４０を備える。電極４０は金属製の平板であって、基板３１の裏面に対して直にネジ留めすることで固定されている。
また電極４０は図示しないアース線が接続されており、さらにこのアース線が接地電位に保たれた外部の接地電極と電気的に導通してあって、前記障害釘に接触したパチンコ球の電荷が金属製の基板３１を介して前記接地電極へと導かれるようになしてある。
【００４５】
以下、この遊技盤３０の断面構造について、図２中のＡ−Ａ切断線における断面を参照しながら説明する。
【００４６】
図３は遊技盤のＡ−Ａ断面図であって、電極４０及び障害釘３９を通る図２中の切断線Ａ−Ａにおける遊技盤３０の断面を示したものである。図中左側を図２の手前側すなわち遊技者側と一致させてある。
【００４７】
レールセット３２により形成された遊技盤３０の遊技領域３１ｂにおいて、パチンコ球４１を想像線で示している。基板３１の表面側には絶縁性の高い、例えば樹脂製のシート部材４２を貼り付けてあって、これにより遊技領域３１ｂと基板３１の表面とはシート部材４２によって隔離されている。
したがってパチンコ球４１が遊技領域３１ｂを転動落下するときに、基板３１の表面との摩擦によりパチンコ球４１が磨耗することを防ぐことができる。
なお、シート部材４２の素材は樹脂製に限られるものではなく、紙・布などのセルロース系素材やガラス・セメントなどの非有機系素材などに置き換えても構わない。
【００４８】
また基板３１の裏面側には電極４０が、ネジ留めによって直に固定されている。そして電極４０は接地電位に保たれた図示しない外部の接地電極と電気的に導通してある。
したがって、静電気に帯電したパチンコ球４１が障害釘３９に接触すると、パチンコ球４１に蓄積されていた電荷が障害釘３９へ移り、そこからさらに基板３１と電極４０とを経て外部の接地電極へと導かれる。
【００４９】
以下、この遊技盤３０における遊技機部品の取付構造について、遊技盤の分解斜視図を参照しながら説明する。
【００５０】
図４は遊技盤の分解斜視図であって、遊技機部品としての装飾部材４３を基板３１に設けた貫通孔３１ｃの内壁に取り付ける構造を表している。
すなわち装飾部材４３は貫通孔３１ｃの内周形状に沿わせて概ね筒状に形成してあって、その前端部には貫通孔３１ｃの開口部３１ｄと対応するフランジ部を設けてある。また装飾部材４３の内壁にはネジ孔４３ａを設けてある。
一方、貫通孔３１ｃの内壁にはネジ孔４３ａと対応する位置に取付穴３１ｅを設けてある。
【００５１】
上述の装飾部材４３を、貫通孔３１ｃの開口部３１ｄにその前方より挿入し、ネジ孔４３ａ及び取付穴３１ｅにおいて装飾部材４３の内側からネジ４４を挿通し、ネジ留めすることで取り付けが完了する。
【産業上の利用可能性】
【００５２】
本発明はパチンコ遊技機の遊技盤に関して利用可能である。
【符号の説明】
【００５３】
１０  遊技機
１３  窓枠
１７  窓部
１７ａ  ガラス窓
３０  遊技盤
３１  基板
３９  障害釘
４０  電極
４２  シート部材
４３  装飾部材
【図１】
2010240071.tif 000003
【図２】
2010240071.tif 000004
【図３】
2010240071.tif 000005
【図４】
2010240071.tif 000006